(57)【要約】【課題】体液と試薬との反応時間の短縮が可能な成分測定装置を提供することを目的とする。【解決手段】試薬と反応した体液から前記体液中の所定成分を測定可能な成分測定装置であって、前記試薬に前記体液が接触した状態で前記試薬及び前記体液を振動させる振動部を備えることを特徴とする。【選択図】図１
2017129423.tif 000002
【特許請求の範囲】
【請求項１】
試薬と反応した体液から前記体液中の所定成分を測定可能な成分測定装置であって、
前記試薬に前記体液が接触した状態で前記試薬及び前記体液を振動させる振動部を備えることを特徴とする成分測定装置。
【請求項２】
前記体液が前記試薬に接触したことを検知する検知部を備え、
前記振動部は、前記体液が前記試薬に接触したことを前記検知部が検知した場合に、前記試薬及び前記体液の振動を開始することを特徴とする、請求項１に記載の成分測定装置。
【請求項３】
前記検知部は、前記体液が前記試薬に接触する領域に光を照射する照射部と、前記照射部からの光のうち前記領域を透過又は前記領域から反射する測定光を受光する受光部と、
を備え、
前記検知部は、前記受光部が受光する前記測定光の光量の変化に基づいて、前記体液が前記試薬に接触したことを検知する、請求項２に記載の成分測定装置。
【請求項４】
前記検知部は、前記測定光の光量の変化量又は変化率が所定の値以上となった場合に、前記体液が前記試薬に接触したことを検知する、請求項３に記載の成分測定装置。
【請求項５】
前記検知部は、前記受光部が受光した前記測定光に基づいて前記体液の前記所定成分を測定する、請求項３又は４に記載の成分測定装置。
【請求項６】
前記体液を外部から供給可能な体液供給部を備えると共に前記試薬を保持する体液測定チップが装着可能であり、
前記振動部は、前記体液測定チップが装着された状態で、前記体液測定チップを振動させることを特徴とする、請求項１〜５のいずれか一項に記載の成分測定装置。
【請求項７】
前記振動部は、装着された前記体液測定チップに当接する当接部を備えることを特徴とする、請求項６に記載の成分測定装置。
【請求項８】
前記振動部は超音波振動子であることを特徴とする、請求項１〜７のいずれか一項に記載の成分測定装置。
【発明の詳細な説明】
【技術分野】
【０００１】
本発明は、成分測定装置に関する。
【背景技術】
【０００２】
従来、血液や尿等の体液と試薬とを反応させて、体液中の所定成分を測定する成分測定装置が広く普及している。このような成分測定装置では、例えば、発色試薬に体液を接触させて反応させ、発色度合を光学的に測定する方法が用いられる。
【０００３】
試薬に体液を接触させる方法は、例えば、特許文献１に開示されている。具体的に特許文献１には、液体試料供給部からこれと間隔をあけた位置にある測定部まで液体移送路を通って液体試料を毛細管流により移送する方法において、前記液体試料供給部に液体試料を供給すること、及び、前記液体移送路に外部から振動エネルギーを加え、前記液体供給部に供給された前記液体試料の毛細管流による移動を前記振動エネルギーにより促進させて前記測定部まで前記液体移送路を移動させることが記載されている。
【先行技術文献】
【特許文献】
【０００４】
【特許文献１】特開平９−０６１３１０号公報
【発明の概要】
【発明が解決しようとする課題】
【０００５】
ところで、近年のニーズとして、成分測定装置への、液体試料としての体液の供給から、所定成分の測定結果の取得までに要する時間（以下、「測定時間」と記載する）の秒単位での短縮が求められている。そして、かかる測定時間の律速となっているものの一つが、体液と試薬とが接触してから、測定結果を取得できる程度に十分に両者が反応するまでに要する時間（以下、「反応時間」と記載する）である。
【０００６】
しかしながら、特許文献１に開示の従来技術では、上述のように体液を試薬の位置まで移送するのに要する時間を短縮し得るが、体液と試薬との反応時間を短縮するものではなかった。
【０００７】
本発明はこのような課題を考慮してなされたものであり、体液と試薬との反応時間の短縮が可能な成分測定装置を提供することを目的とする。
【課題を解決するための手段】
【０００８】
上記目的を達成するために、本発明の第１の態様としての成分測定装置は、試薬と反応した体液から前記体液中の所定成分を測定可能な成分測定装置であって、前記試薬に前記体液が接触した状態で前記試薬及び前記体液を振動させる振動部を備えることを特徴とするものである。
【０００９】
本発明の１つの実施形態としての成分測定装置は、前記体液が前記試薬に接触したことを検知する検知部を備え、前記振動部は、前記体液が前記試薬に接触したことを前記検知部が検知した場合に、前記試薬及び前記体液の振動を開始することが好ましい。
【００１０】
本発明の１つの実施形態として、前記検知部は、前記体液が前記試薬に接触する領域に光を照射する照射部と、前記照射部からの光のうち前記領域を透過又は前記領域から反射する測定光を受光する受光部と、を備え、前記検知部は、前記受光部が受光する前記測定光の光量の変化に基づいて、前記体液が前記試薬に接触したことを検知することが好ましい。
【００１１】
本発明の１つの実施形態として、前記検知部は、前記測定光の光量の変化量又は変化率が所定の値以上となった場合に、前記体液が前記試薬に接触したことを検知することが好ましい。
【００１２】
本発明の１つの実施形態として、前記検知部は、前記受光部が受光した前記測定光の光量に基づいて前記体液の前記所定成分を測定することが好ましい。
【００１３】
本発明の１つの実施形態としての成分測定装置は、前記体液を外部から供給可能な体液供給部を備えると共に前記試薬を保持する体液測定チップが装着可能であり、前記振動部は、前記体液測定チップが装着された状態で、前記体液測定チップを振動させることが好ましい。
【００１４】
本発明の１つの実施形態として、前記振動部は、装着された前記体液測定チップに当接する当接部を備えることが好ましい。
【００１５】
本発明の１つの実施形態として、前記振動部は超音波振動子であることが好ましい。
【発明の効果】
【００１６】
本発明に係る成分測定装置によると、血液と試薬との反応時間の短縮が可能となる。
【図面の簡単な説明】
【００１７】
【図１】本発明の成分測定装置の一実施形態に係る血糖計に血糖測定チップが装着された血糖計セットを示す平面図である。
【図２】図１に示す血糖計セットの一部を拡大して示す縦断面図である。
【図３】図１に示す血糖測定チップ単体を示す図である。
【図４】図１に示す血糖計への血糖測定チップの装着から血糖値の算出までの流れを説明するフローチャートである。
【図５】確認実験の結果を示す図である。
【図６】図１、図２に示す血糖計セットの変形例としての血糖計セットから、血糖測定チップ、振動部及びチップ保持部を抜き出して血糖計セットの背面側から見た斜視図である。
【図７】本発明の成分測定装置の一実施形態に係る血糖計に血糖測定チップが装着された血糖計セットの一部を拡大して示す縦断面図である。
【発明を実施するための形態】
【００１８】
以下、本発明に係る成分測定装置の実施形態について、図面を参照して説明する。
【００１９】
＜実施形態１＞
図１は本発明の一実施形態に係る成分測定装置としての血糖計１に体液測定チップとしての血糖測定チップ１００が装着された血糖計セットを示す。図２は、図１に示す血糖計セットの一部を拡大して示す縦断面図である。図３は、図１に示す血糖測定チップ１００単体を示す図である。
【００２０】
血糖計１は、試薬としての発色試薬１０２と反応した、体液としての血液１０１から、血液１０１中の所定成分としての血糖成分、より具体的には血糖値（単位ｍｇ／ｄＬ）を測定することが可能な装置である。図１に示すように、血糖計１は、発色試薬１０２に血液１０１が接触した状態で発色試薬１０２及び血液１０１を振動させる振動部２０を備える。また、血糖計１は、血液１０１が発色試薬１０２に接触したことを検知する検知部３０を備える。更に、血糖計１は、測定結果や操作内容などを表示するディスプレー５０と、血糖計１の起動と終了を指示する電源ボタン６０と、操作ボタン７０と、後述する血糖測定チップ１００を取り外す取外レバー８０と、を備える。ディスプレー５０は、液晶またはＬＥＤ等で構成される。
【００２１】
また、血糖計１には、体液測定チップとしての血糖測定チップ１００が装着可能である。具体的には、図１、図２に示すように、血糖計１の先端部には、血糖測定チップ１００を装着する装着孔１１を区画する装着部１２が設けられている。
【００２２】
次に、血糖測定チップ１００について説明する。図２、図３に示すように、血糖測定チップ１００は、血糖測定チップ１００の外部から血液１０１を供給可能な体液供給部としての血液供給部１０３を備えると共に、血糖測定チップ１００上の所定の位置に発色試薬１０２を保持する。
【００２３】
より具体的には、図３に示すように、血糖測定チップ１００は、外表面上に溝を区画する。溝は、血液１０１を運ぶ流路１０４としての機能を果たす。血液供給部１０３は、血糖測定チップ１００の先端部に形成されている。発色試薬１０２は、塗布等の方法により、溝底部に設けられている。また、血液供給部１０３は流路１０４の一端をなし、発色試薬１０２は流路１０４の他端側に設けられる。血液供給部１０３に供給された血液１０１は、区画された流路１０４により、途中でこぼれることなく発色試薬１０２が保持されている領域（以下、「保持領域」）まで誘導される。例えば、毛細管現象を利用して血液１０１を誘導することが可能である。
【００２４】
発色試薬１０２は、血液１０１と反応して発色する性質を有する。このような試薬としては、例えば、（ｉ）グルコースオキシダーゼ（ＧＯＤ）と（ｉｉ）ペルオキシダーゼ（ＰＯＤ）と（ｉｉｉ）１−（４−スルホフェニル）−２，３−ジメチル−４−アミノ−５−ピラゾロンと（ｉｖ）Ｎ−エチル−Ｎ−（２−ヒドロキシ−３−スルホプロピル）−３，５−ジメチルアニリン，ナトリウム塩，１水和物（ＭＡＯＳ）との混合試薬、あるいはグルコースデヒドロゲナーゼ（ＧＤＨ）とテトラゾリウム塩及び電子メディエーターとの混合試薬などが挙げられる。
【００２５】
本実施形態の血糖測定チップ１００は、血糖値を測定した後に血糖計１から取り外されて処分される。その一方で、血糖計１は、新たな血糖測定チップ１００を装着することにより再利用される。但し、血糖測定チップ１００が血糖計１から取り外しできない、すなわち、血糖測定チップ１００が有する発色試薬１０２や血液供給部１０３等が血糖計１の一部として一体化された構成としてもよい。
【００２６】
振動部２０は、血糖測定チップ１００が血糖計１に装着された状態で（図１及び図２参照）、血糖測定チップ１００を振動させる。血糖測定チップ１００の振動に伴い、発色試薬１０２の保持領域が振動する。上述のように発色試薬１０２に血液１０１が接触した状態で振動部２０を振動させ血糖測定チップ１００を振動させることによって、発色試薬１０２及び血液１０１を振動させることができる。振動により発色試薬１０２及び血液１０１に運動エネルギーが加えられ、発色試薬１０２及び血液１０１の溶解及び／又は拡散が促進される。発色試薬１０２及び血液１０１の溶解及び／又は拡散が促進されると、発色試薬１０２及び血液１０１をより速く均一に混ぜることができる。このようにして、発色試薬１０２及び血液１０１の反応を促進し、反応時間を短縮することができる。
【００２７】
なお、上述の効果を得るためには、発色試薬１０２及び血液１０１が振動できる構成であればよく、血糖測定チップ１００自体を振動させる構成に限定されるものではない。但し、振動部２０の振動による運動エネルギーが血糖測定チップ１００以外のもの（例えば空気）に散逸してしまうことによるエネルギー伝達ロスをより少なくし、より効率的に発色試薬１０２及び血液１０１を振動させるためには、本実施形態のように血糖測定チップ１００を直接振動させる構成とすることがより好ましい。
【００２８】
また、本実施形態の血糖測定チップ１００は、厚み方向の一方の面に流路１０４となる溝が形成された平板状の形状を有し、振動する方向は血糖測定チップ１００の厚み方向に直交する方向とする。例えば、流路１０４における血液１０１の進行方向に平行な方向に振動部２０が振動するように構成する。なお、発色試薬１０２の保持領域で血液１０１及び発色試薬１０２を溶解及び／又は拡散できるものであれば、振動部２０の振動方向は一方向に限られるものではなく、複数の方向に振動するものであってもよい。したがって、本実施形態の血糖測定チップ１００の場合には、例えば、厚み方向に直交する複数の方向に振動させるようにしてもよい。
【００２９】
なお、上述の実施形態は一例であり、本発明に係る成分測定装置が上述した内容に限定されるものではない。例えば、本発明に係る成分測定装置は、試薬と体液を反応させて体液中の所定成分を測定するものであれば、上述した血糖計以外のものでもよい。また、成分測定装置により測定される所定成分を含む体液についても、上述した血液に限られるものではなく、例えば、尿、髄液等であってもよく、測定する所定成分に関しても、上述した血糖以外のものでもよい。また、特に血糖を測定する場合においても、血液中の血糖の濃度を示す上述した血糖値の測定に限定されるものではなく、例えば血糖の絶対値を測定するものであってもよい。更に、所定成分の測定には、発色度合の測定以外の所望の方法を用いることができ、所定成分を測定できるものであれば、発色試薬以外の試薬を使用することもできる。
【００３０】
本実施形態の振動部２０は、血液１０１が発色試薬１０２に接触したことを検知部３０が検知した場合に、発色試薬１０２及び血液１０１の振動を開始する。より具体的に本実施形態では、血液１０１が発色試薬１０２の保持領域に到達したことを検知した場合に、振動部２０は発色試薬１０２及び血液１０１の振動を開始する。血液１０１が発色試薬１０２の保持領域に到達する前、すなわち血液１０１が流路１０４を通過中に振動を加える場合、血液１０１が溶血し血糖値に影響を及ぼすおそれがある。また、流路１０４を移動中の血液１０１の先端面に波が発生し、発色試薬１０２との接触位置にムラが生じるおそれがある。血液１０１が発色試薬１０２の保持領域に到達する前に振動部２０を振動させないようにすることで、これらのおそれを抑制することができる。
【００３１】
また振動部２０を配置する位置は、発色試薬１０２及び血液１０１を振動させることが可能な位置であれば特に限定されるものではないが、血液１０１及び発色試薬１０２により近い位置に配置することが好ましい。このように配置することで、血液１０１及び発色試薬１０２に効率よく振動エネルギーを伝達することができる。また、本実施形態の血糖測定チップ１００のように表面上に発色試薬１０２を保持する血糖測定チップの場合には、振動部２０を、発色試薬１０２の保持領域の裏面側に配置することが好ましい。このように配置することで、例えば振動部を血糖測定チップ１００の側端面側に配置する構成と比較して、保持領域における血液１０１及び発色試薬１０２を、保持領域内の位置によらず均等に振動させることができる。但し、本実施形態では、後述する検知部３０による測定の支障とならないよう、発色試薬１０２の保持領域の真下には配置しない。図２に示すように、本実施形態の振動部２０は、血糖測定チップ１００の裏面のうち、発色試薬１０２の保持領域よりも血液供給部１０３側に配置される。
【００３２】
本実施形態の検知部３０は、照射部３１と受光部３２とを備える。照射部３１は血液１０１が発色試薬１０２に接触する領域、すなわち本実施形態においては発色試薬１０２の保持領域に光を照射する。受光部３２は照射部３１からの光のうち血液１０１が発色試薬１０２に接触する領域を透過する測定光３３を受光する。本実施形態では、照射部３１には発光ダイオード（ＬＥＤ）を用いるが、ハロゲンランプ、レーザー等であってもよい。なお、ハロゲンランプを用いる場合は、特定の波長のみを抽出するために分光フィルタを設けてもよい。また、低エネルギーの照射で有効に実施するために、集光レンズを備えてもよい。また、受光部３２には、フォトダイオード（ＰＤ）を用いるが、測定光３３を受光して光量を測定できるものであればよく、ＣＣＤ、ＣＭＯＳ等であってもよい。
【００３３】
図２に示すように、血糖計１の内部には、装着孔１１と連通する第１の空間４１及び第２の空間４２が区画されている。照射部３１は第１の空間４１に配置される。受光部３２は第２の空間４２に配置される。なお、照射部３１を第２の空間４２に、受光部３２を第１の空間４１に配置する構成でもよい。また、血糖測定チップ１００を血糖計１に装着した状態で、照射部３１と受光部３２とは、血糖測定チップ１００のうち発色試薬１０２の保持領域を挟んで互いに対向するように配置される。
【００３４】
本実施形態の検知部３０は、受光部３２が受光する測定光３３の光量の変化に基づいて、血液１０１が発色試薬１０２に接触したことを検知する。より具体的に、本実施形態の検知部３０は、測定光３３の光量の変化率に基づいて、血液１０１が発色試薬１０２に接触したことを検知するものであるが、変化率に限られるものではなく、例えば、変化量に基づいて、血液１０１が発色試薬１０２に接触したことを検知するものであってもよい。また、本実施形態の検知部３０は、受光部３２が受光した測定光３３に基づいて血液１０１の血糖値を測定する。
【００３５】
図４は、血糖測定チップ１００の装着から血糖値の算出までの流れを説明するフローチャートである。上述の電源ボタン６０を押下すると血糖計１が起動する。血糖計１に血糖測定チップ１００を装着する（ステップＳ１）。その後、照射部３１は光の照射を開始すると共に受光部３２は測定光３３の受光を開始する（ステップＳ２）。なお、後述する血糖値の算出（ステップＳ７）が終了するまで、照射部３１は光の照射を継続し、受光部３２は測定光３３の受光を継続する。
【００３６】
次に、血液供給部１０３に血液１０１を供給する。上述のように、供給された血液１０１は、血糖測定チップ１００の流路１０４により、発色試薬１０２の保持領域まで誘導される。
【００３７】
血液１０１が発色試薬１０２上に流入した状態での光の透過率は、発色試薬１０２のみが存在する状態での光の透過率よりも小さい。従って、受光部３２が受光する測定光３３の光量は、血液１０１が発色試薬１０２上に流入する前後で顕著に変化する。この現象を利用して、検知部３０は、例えば受光部３２が受光する測定光３３の光量の変化量又は変化率に基づいて、血液１０１が発色試薬１０２に接触したことを検知可能である。
【００３８】
上述したように、本実施形態の検知部３０は、受光部３２が受光する測定光３３の光量の変化率に基づいて、血液１０１が発色試薬１０２に接触したことを検知するものであるが、変化率は所望の方法で算出することができる。例えば、任意の時刻をｔ、受光部３２の露光時間をΔｔとした場合に、時刻ｔ〜ｔ＋Δｔの時間に得られる光量をＰ、時刻ｔ＋Δｔ〜ｔ＋２Δｔの時間に得られる光量をＱとするとき、（Ｑ−Ｐ）／Ｐ、により算出できる。
【００３９】
検知部３０が、血液１０１が発色試薬１０２に接触したことを判断する基準として、測定光３３の光量の変化率に、所定の値としての所定のしきい値を設定することができる。検知部３０は、例えばＣＰＵなどの処理装置を含む制御部２５を備えており、測定光３３の光量の変化率が所定のしきい値以上かどうかを判断する（ステップＳ３）。光量の変化率が所定のしきい値未満と判断した場合、血液１０１が発色試薬１０２の保持領域に到達していない、すなわち血液１０１は発色試薬１０２に接触していないと判断する。一方、光量の変化率が所定のしきい値以上と判断した場合、血液１０１が発色試薬１０２の保持領域に到達した、すなわち血液１０１が発色試薬１０２に接触したと判断する。このようにして、検知部３０は、変化率が所定のしきい値以上となった場合に、血液１０１が発色試薬１０２に接触したことを検知する。
【００４０】
血液１０１が発色試薬１０２に接触したことを検知した後、上述のように、振動部２０は、血液１０１及び発色試薬１０２の振動を開始する（ステップＳ４）。振動は所定の時間行われる。この所定の時間は、血液１０１及び発色試薬１０２を振動した場合に、血糖値の測定が可能な程度に両者が十分に反応するまでに要する時間であり、あらかじめ検知部３０に記録されている。所定の時間経過後、振動部２０は振動を停止する（ステップＳ５）。なお、振動部２０は、制御部２５の指示により振動動作を開始する。
【００４１】
次に、検知部３０は、受光部３２が受光した測定光３３に基づいて血糖値を測定する。具体的に本実施形態では、制御部２５の処理装置が吸光度に基づいて血糖値を算出する。血糖の量に応じた発色度合を測定するための第１の波長と、血液中の赤血球濃度を測定するための第２の波長とを用いる。例えば、第１の波長は６００〜９００ｎｍの波長帯にあり、第２の波長は５１０〜５９０ｎｍの波長帯にある。図示はしないが、照射部３１はこの２つ異なる波長の光をそれぞれ照射する２つの異なる素子を含む。受光部３２は第１の波長の測定光３３と、第２の波長の測定光３３をそれぞれ別々に受光する。検知部３０は、受光部３２がそれぞれ受光する第１及び第２の波長の測定光３３に基づいて、第１及び第２の波長の光の吸光度をそれぞれ算出する（ステップＳ６）。また、検知部３０は、第１の波長の光の吸光度に基づいて、血液１０１と発色試薬１０２との反応で生じた発色度合を測定し、推定グルコース量を算出する。第２の波長の光の吸光度に基づいて、赤血球濃度を測定する。この赤血球濃度から得られるヘマトクリット値を用いて推定血糖値を算出する（ステップＳ７）。結果は、上述のディスプレー５０に表示される。
【００４２】
血糖値を算出した後、照射部３１は照射を停止し、受光部３２は受光を停止する（ステップＳ８）。使用済みの血糖測定チップ１００は取外レバー８０を引くことにより血糖計１から外すことができる。
【００４３】
上述のように、本実施形態の検知部３０は、血液１０１が発色試薬１０２に接触したことを検知する機能と、血糖値を測定する機能とを兼ね備えたものである。換言すれば、血糖値を測定するための測定光を用いて、血液１０１が発色試薬１０２に接触したことを検知できるものである。
【００４４】
ここで、振動部２０は、血糖計１に装着された血糖測定チップ１００に当接する当接部２１を備えることが好ましい。図２に示すように、振動部２０が血糖測定チップ１００の底面の下方に配置される場合、当接部２１は振動部２０の上面側に、すなわち、血糖測定チップ１００の底面に当接できる位置に設けられる。当接部２１により振動部２０の振動による運動エネルギーを直接血糖測定チップ１００に伝達することができる。かかる構成により、振動部２０の振動による運動エネルギーが血糖測定チップ１００以外のもの（特に、当接部２１が無い場合に、血糖測定チップ１００及び振動部２０との間に存在する空気）に散逸してしまうことによる著しいエネルギーロスを少なくし、効率的に発色試薬３２及び血液１０１を振動させることができる。
【００４５】
また、振動部２０は超音波振動子を用いることが好ましい。超音波振動子により、無駄な騒音を出さずに効率よく振動エネルギーを生成することができ、血糖計１の使用者が使用環境に制限を受けにくくなる。また、超音波振動子を用いれば、血糖測定チップ１００が平板状以外の形状、例えば立方体状の形状を有するような場合でも効率よく血液１０１及び発色試薬１０２を溶解及び／又は拡散することができ、その結果使用する血糖測定チップ１００の形状のバリエーションを増やすことができる。超音波振動子として、例えば、ピエゾ素子、ランジュバン振動子等を用いることができる。
【００４６】
以上のように、体液と試薬とが接触した状態において体液及び試薬を振動させると、体液及び試薬の溶解や拡散が助長され、両者の反応が促進することを説明してきたが、これを確認するために行った確認実験の結果を以下に説明する。血液１０１及び発色試薬１０２を振動させることによって、血液１０１と発色試薬１０２との反応時間が短縮することを確認する確認実験を実施した。具体的には、血液１０１及び発色試薬１０２を振動させない場合の反応時間と、血液１０１及び発色試薬１０２を振動させる場合の反応時間とを測定し、両者を比較した。反応時間は、血液１０１が発色試薬１０２の保持領域に到達してから（血液１０１が発色試薬１０２と接触してから）、吸光度が所定の値になるまでの時間とした。なお、血液１０１及び発色試薬１０２の振動の有無以外の条件は一緒とした。振動部２０には、超音波振動子としてランジュバン振動子を用いた。周波数は、２０ｋＨｚ、振動時間は０．５秒とした。参考として、血液１０１に代えて、血糖成分であるグルコースを含む水溶液（以下、「グルコース水」と記載）を使用する実験も行った。以下、実験結果を示す。
【００４７】
図５（ａ）は血液１０１及び発色試薬１０２について、両者を振動させる場合と振動させない場合とにおける吸光度の時間変化を重ねて比較する図である。図５（ｂ）はグルコース水及び発色試薬１０２について、両者を振動させる場合と振動させない場合とにおける吸光度の時間変化を重ねて比較する図である。図５（ａ）及び図５（ｂ）に示す図は共に横軸が時間（秒）、縦軸は吸光度（無次元）をそれぞれ示す。また、反応時間を計測する基準となる吸光度の所定の値について、図５（ａ）に示す実験ではｋ１、図５（ｂ）に示す実験ではｋ２とした。ｋ１及びｋ２は所定の定数である。
【００４８】
図５（ａ）に示すように、反応時間は、血液１０１及び発色試薬１０２を振動させない場合が１９．２秒であったのに対し、両者を振動させた場合は１６．２秒となった。振動させることにより３．０秒短縮した。図５（ｂ）に示すように、反応時間は、グルコース水及び発色試薬１０２を振動させない場合が２６．４秒であったのに対し、両者を振動させた場合は１４．２秒となった。振動させることにより、１２．２秒短縮した。このように、血液１０１を使用する実験及びグルコース水を使用する実験共に、振動させることにより、反応時間が短縮されることが確認できた。
【００４９】
図６は、図１、図２に示す血糖計セットの変形例を示す図である。図６では、血糖計セットから、血糖測定チップ１００、振動部２０及び後述するチップ保持部９０を抜き出して血糖計セットの背面側（図１に示す血糖計セットの場合では右側）から見た斜視図である。図６に示す血糖計１は内部にチップ保持部９０を備える。チップ保持部９０は血糖測定チップ１００を保持する。また、チップ保持部９０は、血糖計１に対して血糖測定チップ１００の位置を固定する。チップ保持部９０により、振動部２０の振動により血糖測定チップ１００が血糖計１に対して相対的に移動し振動部２０から離れることを防ぎ、効率よく血液１０１及び発色試薬１０２を振動させることができる。また、血糖測定チップ１００の検知部３０との相対的な位置が固定されるため、より精度の良く血糖値を測定することができる。
【００５０】
チップ保持部９０としては、例えば、図６に示すように、血糖測定チップ１００の外縁部を表面側及び裏面側から挟持する挟持部９１を有するものとすることができる。図６に示すチップ保持部９０は、血糖測定チップ１００の外縁部のうち対向する部分を挟持する２つの挟持部９１を有している。更に図６に示すチップ保持部９０は、２つの挟持部９１を連結し、血糖測定チップ１００の裏面が載置される底板部９２を有しており、チップ保持部９０は、底板部９２が振動部２０と当接した状態で、血糖計１内での位置が固定されている。なお、図６に示す例では、振動部２０とは別体のチップ保持部９０が、振動部２０上に配置される構成としているが、振動部２０自体に、血糖測定チップ１００を保持するチップ保持部を形成するようにしてもよい。
【００５１】
＜実施形態２＞
別の実施形態として、測定光に反射光を用いる血糖計の例を示す。図７は、本発明の成分測定装置の一実施形態としての血糖計２に血糖測定チップ２００が装着された血糖計セットの一部を拡大して示す縦断面図である。なお、血糖計２において、実施形態１の血糖計１と同一の構成要素には同一の参照番号を付し、詳細な説明は省略する。
【００５２】
血糖測定チップ２００は、光を反射する反射部２１０を備える点で、図３に示す血糖測定チップ１００と異なる。本実施形態の血糖測定チップ２００の流路は中空部により構成されており、反射部２１０は、中空部を区画する内壁のうち、血糖測定チップ２００内の発色試薬１０２と流路を挟んで対向する位置に設けられている。
【００５３】
光を反射させるためには、反射部２１０を着色させる必要がある。照射する波長を吸収せずに効率よく反射することができれば着色に制限はないが、白色が最も好ましい。素材には、ポリプロピレン（ＰＰ）、ポリエチレン（ＰＥ）、ポリスチレン（ＰＳ）、ポリカーボネート（ＰＣ）、アクリル（ＰＭＭＡ）、ポリエチレンテレフタレート（ＰＥＴ）、環状ポリオレフィン（ＣＯＰ）や環状オレフィンコポリマー（ＣＯＣ）等の樹脂を使用し、必要に応じて酸化チタン、二酸化ケイ素、硫酸バリウム、アルミニウム、亜鉛、ニッケル、クロム等を真空蒸着やスパッタリング、またはめっき等の手段で処理して反射面を得る。または、酸化チタン、二酸化ケイ素、硫酸バリウム等を一定量、樹脂に含有させて反射面を得ても良い。
【００５４】
血糖計２の検知部３０の受光部３４は、反射部２１０で反射した光を受光する点で、実施形態１に係る血糖計１の検知部３０の受光部３２と異なる。
【００５５】
また、上記のような照射部３１及び受光部３４の配置において、血糖計２の振動部２２は、血糖測定チップ２００を挟んで照射部３１及び受光部３４とは反対側（図７では上側）に配置される。本実施形態において、血糖測定チップ２００を挟んで照射部３１及び受光部３４と反対側であれば、血糖計２の検知部３０による測定の支障とはならないため、振動部２２を血液１０１及び発色試薬１０２が接触する領域（本実施形態では発色試薬１０２の保持領域）のより近くに配置することができる。具体的に、図７に示す振動部２２は、発色試薬１０２の保持領域を挟んで照射部３１又は受光部３４が配置されている位置と反対側の位置に配置されている。このように、本実施形態の振動部２２が配置される位置は、実施形態１に係る血糖計１の振動部２０と異なる。
【００５６】
血糖計２の内部には空間４３が１つ区画されている。照射部３１及び受光部３４は空間４３に配置される。図７に示すように、照射部３１から照射された光は、血液１０１が発色試薬１０２に接触する領域を透過し、反射部２１０に到達する。反射部２１０に到達した光は、反射部２１０で反射する。反射した光は測定光３３として受光部３４に受光される。血糖値を算出するまでの処理は、受光部３４が受光した測定光３３に基づいて血糖値を測定する点を除いて、血糖計１で示した内容と同じである（図４参照）。
【００５７】
以上に示したように、血糖計２においても、実施形態１に係る血糖計１と同じ効果を奏する。なお、本実施形態では、照射部３１から照射した光は一度、血液１０１が発色試薬１０２に接触する領域を透過する構成であるが、この領域から直接、光が反射する構成であってもよい。
【産業上の利用可能性】
【００５８】
本発明は、成分測定装置に関するものである。
【符号の説明】
【００５９】
１、２：血糖計（成分測定装置）
１１：装着孔
１２：装着部
２０、２２：振動部
２１：当接部
２５：制御部
３０：検知部
３１：照射部
３２、３４：受光部
３３：測定光
４１：第１の空間
４２：第２の空間
４３：空間
５０：ディスプレー
６０：電源ボタン
７０：操作ボタン
８０：取外レバー
９０：チップ保持部
９１：挟持部
９２：底板部
１００、２００：血糖測定チップ（体液測定チップ）
１０１：血液
１０２：発色試薬（試薬）
１０３：血液供給部（体液供給部）
１０４：流路
２１０：反射部
【図１】
2017129423.tif 000003
【図２】
2017129423.tif 000004
【図３】
2017129423.tif 000005
【図４】
2017129423.tif 000006
【図５】
2017129423.tif 000007
【図６】
2017129423.tif 000008
【図７】
2017129423.tif 000009